(57)【要約】【課題】顧客が少なくて、一部のレジスタカウンターが休止しているときには、客がその前に進入して来ないように通路を閉鎖することができ、また１対の脇置き商品陳列棚を、レジスタカウンターから離して、背中合わせに配置することにより、レジスタカウンターから分離独立させて、その周りから顧客が接近しうるようにした脇置き商品陳列棚を提供する。【解決手段】左右の側枠７とキャスター６を備え、レジスタカウンター１の側部に外向きに配置される脇置き商品陳列棚５であって、実質的に同一寸法のもの１対を１組とし、これらを互いに背中合わせとして並置したとき、互いに協働して、前後に並ぶ側枠７、８同士を、解放可能に連結しうる連結手段を、側枠７、８に設ける。【選択図】        図４
2005000384.tif 000002
【特許請求の範囲】
【請求項１】
左右の側枠とキャスターを備え、レジスタカウンターの側部に外向きに配置される脇置き商品陳列棚であって、実質的に同一寸法のもの１対を１組とし、これらを互いに背中合わせとして並置したとき、互いに協働して、前後に並ぶ側枠同士を、解放可能に連結しうる連結手段を、前記側枠に設けたことを特徴とする脇置き商品陳列棚。
【請求項２】
連結手段を、掛け金と、この掛け金が係止される頭付きピンとからなるものとした請求項１記載の脇置き商品陳列棚。
【請求項３】
連結手段の一方を、脇置き商品陳列棚の一方の側枠の後端に、同じく他方を、他方の側枠の後端に設けたことを特徴とする請求項１または２に記載の脇置き商品陳列棚。
【請求項４】
多数のレジスタカウンターを、相互間に通路を隔てて横１列に配置してなる商店において、前記通路への客の進入側において、各レジスタカウンターの側部に、移動可能とした脇置き商品陳列棚を、客の進入方向へ向けて配置し、上記通路へ進入する客が少数となった際には、この通路の入口を適宜閉鎖するとともに、上記商品陳列棚をレジスタカウンターの側部より移動させて、同様の陳列台２台を、背中合わせに並置することにより、アイランド型商品展示部を形成させるようにしたことを特徴とする商店におけるアイランド型商品展示部形成方法。
【請求項５】
脇置き商品陳列棚を、請求項１に記載のものとした請求項４記載のアイランド型商品展示部形成方法。
【請求項６】
脇置き商品陳列棚を、請求項２に記載のものとした請求項４記載のアイランド型商品展示部形成方法。
【請求項７】
脇置き商品陳列棚を、請求項３に記載のものとした請求項４記載のアイランド型商品展示部形成方法。
【発明の詳細な説明】
【０００１】
【発明の属する技術分野】
本発明は、スーパーマーケット等の大規模な店舗において、レジスタカウンターの側部に外向きに配置される移動可能な脇置きカウンターに関する。また本発明は、客が少いときには、このような脇置きカウンターをもって、アイランド型商品展示部を形成させる方法にも関する。
【０００２】
【従来の技術】
スーパーマーケット等の大規模な店舗においては、多数のレジスタカウンターが、相互間に通路を隔てて、横１列に配置され、かつ通路への進入側において、レジスタカウンターの側部に、ついで買いや衝動買いを狙って、小型商品を展示しうる脇置き商品陳列棚が、客の進入方向へ向けて配置されている例が多い。
【０００３】
【発明が解決しようとする課題】
上記した多数のレジスタカウンターは、休日にはフル稼働しているが、平日特に昼間には、一部しか稼働していないのが実状である。
【０００４】
レジスタカウンターに客が来ないときには、脇置き商品陳列棚は、徒らに空疎感を与えるだけの無為の存在となってしまい、また目障りともなる。
またレジスタカウンターの前に店員が居らず、通路が明いていると、客が自由に出入りすることができるので望ましくない。
【０００５】
本発明は、上記のような問題を解決するために、顧客が少なくて、一部のレジスタカウンターが休止しているときには、１対の脇置き商品陳列棚を、レジスタカウンターから離して、背中合わせに配置することにより、レジスタカウンターから分離独立させて、その周りから顧客が接近しうるようにした脇置き商品陳列棚を提供することを目的としている。
【０００６】
また本発明は、客が少いときに、このような脇置き商品陳列棚を利用して、レジスタカウンターから離れた個所に、アイランド型商品展示部を形成される方法にも関する。
【０００７】
【課題を解決するための手段】
本発明の脇置き商品陳列棚は、次のように構成されている。
（１）左右の側枠とキャスターを備え、レジスタカウンターの側部に外向きに配置される脇置き商品陳列棚であって、実質的に同一寸法のもの１対を１組とし、これらを互いに背中合わせとして並置したとき、互いに協働して、前後に並ぶ側枠同士を、解放可能に連結しうる連結手段を、前記側枠に設ける。
【０００８】
（２）  上記（１）項において、連結手段を、掛け金と、この掛け金が係止される頭付きピンとからなるものとする。
【０００９】
（３）  上記（１）または（２）項において、連結手段の一方を、脇置き商品陳列棚の一方の側枠の後端に、同じく他方を、他方の側枠の後端に設ける。
【００１０】
また本発明のアイランド型商品展示部は、次のようにして形成される。
（４）  多数のレジスタカウンターを、相互間に連絡を隔てて横１列に配置してなる商店において、前記通路への客の進入例において、各レジスタカウンターの側部に、移動可能とした脇置き商品陳列棚を、客の進入方向へ向けて配置し、上記通路へ進入する客が少数となった際には、この通路の入口を適宜閉鎖するとともに、上記商品陳列棚をレジスタカウンターの側部より移動させて、同様の陳列台２台を、背中合わせに並置することにより、アイランド型商品展示部を形成させる。
【００１１】
（５）  上記（４）項において、脇置き商品陳列棚を、上記（１）項に記載のものとする。
【００１２】
（６）  上記（４）項において、脇置き商品陳列棚を、上記（２）項に記載のものとする。
【００１３】
（７）  上記（４）項において、脇置き商品陳列棚を、上記（３）項に記載のものとする。
【００１４】
【発明の実施の形態】
図１は、本発明の一実施形態に係る脇置き商品陳列棚の通常の使用状態の一部を示す斜視図、図２は同じく略平面図である。
【００１５】
多数のレジスタカウンター（１）が、通路（２）を距てて横１列に配置されている。各レジスタカウンター（１）は、カウンターテーブル（３）における顧客進入側の前面にカウンター（４）を配置して構成され、その各通路（２）への進入側の側面には、本発明による脇置き商品陳列棚（５）が、陳列面を外側方へ向けて配置されている。
【００１６】
図３に明示するように、脇置き商品陳列棚（５）は、底面に４個のキャスター（６）を備え、かつ左右両側に、外側へ向かって突出する側枠（７）（８）を備えている。
【００１７】
側枠（７）（８）の間には適数の棚板（９）が架設され、かつ各側枠（７）（８）の前後端には、把手杆（１０）（１０）が突設されている。
【００１８】
各側枠（７）（８）の外面には、商品展示用のフック（１６）（図４）もしくは適宜の棚板が取付けられている。
【００１９】
正面から見て右側の側枠（８）の後方縦杆（８ａ）の適所には、一端側面に凹入孔（１１）を有する掛金（１２）の他端が、軸ピン（１３）で枢支されている。
【００２０】
同じく左側の側枠（７）の後方縦杆（７ａ）の外側面における前記凹入孔（１１）と対応する位置には、図４、図５に示すように、頭付き係止ピン（１４）が突設されている。
【００２１】
各レジスタカウンター（１）の側方に配置されている脇置き商品陳列棚（５）は、キャスター（６）により移動自在であるので、客が少なくて通路（２）が空き気味となる場合には、図６に示すように、使用を止めたい通路（２）の入り口に適宜のフェンス（１５）を置いて、客が通路（２）へ入るのを阻止し、かつレジスタカウンター（１）の側方より移動させた２台の脇置き商品陳列棚（５）（５）を前述のように背中合わせとし、かつ掛金（１２）と係止ピン（１４）で連結すれば、簡単にアイランド型展示部を得ることができる。
【００２２】
【発明の効果】
請求項１記載の発明：２台の脇置き商品陳列棚を、背中合わせとして、簡単にアイランド型陳列装置を形成することができる。
【００２３】
請求項２記載の発明：背中合わせにした２台の脇置き商品陳列棚を、容易に連結し、かつ分離することができる。
【００２４】
請求項３記載の発明：連結手段が全く同一構成である１対の脇置き商品陳列棚をもって、所期の目的を達成することができる。
【００２５】
請求項４〜７記載の発明：レジスタカウンターへ向かう客が少いときには、レジスタカウンターから離れた個所にアイランド型商品展示部を形成し、レジスタカウンターへ向かわない客が、そのまわりから商品を見て、衝動的に購入するように、誘引することができる。
【図面の簡単な説明】
【図１】本発明の一実施形態に係る脇置き商品陳列棚の通常の使用状態を示す斜視図である。
【図２】同じく略平面図である。
【図３】上記脇置き商品陳列棚の前方斜視図である。
【図４】２台の上記脇置き商品陳列棚を、背中合わせに配置して、互いに結合した状態を示す前方斜視図である。
【図５】図４の丸印Ａで示す部分を拡大して掛金と頭付きピンを示す図である。
【図６】一部の脇置き商品陳列棚をもって、アイランド型商品展示部を形成させた状態を略示する平面図である。
【符号の説明】
（１）レジスタカウンター
（２）通路
（３）カウンターテーブル
（４）カウンター
（５）脇置き商品陳列棚
（６）キャスター
（７）側枠
（７ａ）後方縦杆
（８）側枠
（９）棚板
（１０）把手杆
（１１）凹入孔
（１２）掛金
（１３）軸ピン
（１４）係止ピン
（１５）フェンス
（１６）フック
【図１】
2005000384.tif 000003
【図２】
2005000384.tif 000004
【図３】
2005000384.tif 000005
【図４】
2005000384.tif 000006
【図５】
2005000384.tif 000007
【図６】
2005000384.tif 000008